(57)【特許請求の範囲】
【請求項１】
映像データにテロップテキストを挿入するためのテロップテキスト編集効果表示装置において、
映像データと関連させてテロップテキストを表示するテロップテキスト表示部と、
前記テロップテキスト表示部の近傍に配置され、該テロップテキスト表示部に表示されたテロップテキストに編集効果を付与するための複数のボタンからなるテロップ編集効果設定部と、
前記テロップテキスト表示部に表示されたテロップテキストの範囲を指定できるポインティングデバイスと、
前記テロップ編集効果設定部により編集効果を付与されたテロップテキストが前記映像データと関連させて一覧で表示されるテロップテキスト編集効果表示部とを具備し、
前記ポインティングデバイスで指定されたテロップテキストの範囲に前記ボタンに相当する編集効果を付与されたテロップテキストを前記映像データと関連させて一覧で前記テロップテキスト編集効果表示部に表示できるようにしたことを特徴とするテロップテキスト編集効果表示装置。
【請求項２】
請求項１に記載のテロップテキスト編集効果表示装置において、
前記編集効果を付与するための複数のボタンは、少なくとも、遅延効果、点滅効果、ワイプ効果、およびリンク機能の一つを含むことを特徴とするテロップテキスト編集効果表示装置。
【請求項３】
請求項１に記載のテロップテキスト編集効果表示装置において、
前記テロップテキスト編集効果表示部は、表示されるテロップテキストをスクロールできるようにしたことを特徴とするテロップテキスト編集効果表示装置。
【発明の詳細な説明】
【０００１】
【発明の属する技術分野】
本発明はテロップテキスト編集効果表示装置に関し、特に映像に挿入したテロップテキスト、あるいはその編集効果を一目で分かるようにしたテロップテキスト編集効果表示装置に関する。
【０００２】
【従来の技術】
従来から映像にテロップ（商品名）を挿入する装置（テロッパ）は、周知である。この種の装置の一例として、例えば特開２０００−３２３４１号公報に記載のものがある。この公報に記された発明は、テロップを構成する文字列に対して容易に色の変化を施したり表示時間を設定するためのキーフレームの生成を次のように行うものである。
【０００３】
すなわち、複数の単語と各単語にそれぞれ関連付けられた色情報と時間情報とからなる単語変換表を記憶し、入力される文字列を構成する各単語について該単語変換表にあるかを順番に検索し、該単語変換表にあると検索された単語に関連付けられた色情報と時間情報とを前記記憶手段から読みだし、読みだした色情報と時間情報とに基づいてキーフレームを生成する。
【０００４】
【発明が解決しようとする課題】
しかしながら、従来のテロッパは、映像に入力された任意の位置のテロップを確認あるいは検査しようとした場合、テロップの挿入された映像を最初から再生しないと、該テロップの確認あるいは検査をすることができなかった。また、編集を加えたテロップの編集効果を確認する場合、該編集効果を一見して把握することはできなかった。
【０００５】
本発明の目的は、前記した従来技術の課題を解消し、映像に入力されたテロップを容易に確認でき、またテロップに付与された編集効果を容易に確認できるテロップテキスト編集効果表示装置を提供することにある。
【０００６】
【課題を解決するための手段】
前記した目的を達成するために、本発明は、映像データにテロップテキストを挿入するためのテロップテキスト編集効果表示装置において、映像データと関連させてテロップテキストを表示するテロップテキスト表示部と、前記テロップテキスト表示部の近傍に配置され、該テロップテキスト表示部に表示されたテロップテキストに編集効果を付与するための複数のボタンからなるテロップ編集効果設定部と、前記テロップテキスト表示部に表示されたテロップテキストの範囲を指定できるポインティングデバイスと、 前記テロップ編集効果設定部により編集効果を付与されたテロップテキストが前記映像データと関連させて一覧で表示されるテロップテキスト編集効果表示部とを具備し、前記ポインティングデバイスで指定されたテロップテキストの範囲に前記ボタンに相当する編集効果を付与されたテロップテキストを前記映像データと関連させて一覧で前記テロップテキスト編集効果表示部に表示できるようにした点に第１の特徴がある。
【０００８】
前記した第１の特徴によれば、映像データに付与されたテロップテキスト、および／または該テロップテキストに付与された編集効果を、一見して分かるように表示することができる。
【０００９】
【発明の実施の形態】
以下に、図面を参照して、本発明を詳細に説明する。図１は、本発明のテロップテキスト編集効果表示装置の一実施形態のハード構成を示すブロック図である。
【００１０】
図示されているように、テロップテキスト編集効果表示装置は、テロップ入力部１、記憶部２、ＣＰＵ３、編集効果解析部４、およびテロップテキスト編集効果表示部５から構成されている。
【００１１】
前記テロップ入力部１は、映像に挿入したいテロップテキストを入力するテロップテキスト入力部１ａと、例えばワイプ効果、アンダーラインを付ける効果などの編集効果を設定する編集効果設定部１ｂから構成されている。また、前記記憶部２は、テロップテキスト記憶部２ａとテロップテキスト編集効果記憶部２ｂとからなり、テロップテキスト記憶部２ａは前記テロップテキスト入力部１ａから入力されたテロップテキストを記憶し、一方テロップテキスト編集効果記憶部２ｂは前記編集効果設定部１ｂから設定されたテロップテキストの編集効果を記憶する。
【００１２】
ＣＰＵ３は、本発明のテロップテキスト編集効果表示装置の動作全体を制御する。編集効果解析部４は、前記編集効果設定部１ｂで設定された編集効果に対して、例えば赤色を付ける、アンダーラインを付ける等といった視覚表示をテロップテキストに付与する働きをする。最後に、テロップテキスト編集効果表示部５は、前記テロップテキスト入力部１ａで入力されたテロップテキストを一覧表示する。また、編集効果設定部１ｂで設定された編集効果を一見して分かるように、一覧表示する。
【００１３】
次に、本発明の一実施形態の構成を、図２、図３を参照してより具体的に説明する。図２は、本実施形態のテロップテキスト編集効果表示装置の機能を示すブロック図、図３は、該テロップテキスト編集効果表示装置の表示例を示す。なお、図１、図２、および図３中の対応する部分には、同一の符号が付されている。
【００１４】
図２において、テロップが付与される圧縮または非圧縮の映像データは画像再生部１１で再生され、テロップテキスト編集効果表示装置１０の画像表示部１２に表示される。この映像データは、開始画像・時間表示部１４と終了画像・時間表示部１５にも送られ、表示される。テロップテキスト入力部１ａは例えばパソコンのキーボードおよびマウス（ポインティングデバイス）に相当し、マウスで開始画像・時間表示部１４の［Ｉｎ」ボタン（図３参照）がクリックされると、テロップ挿入の開始画像は固定され、対応する時間が表示される。次に、終了画像・時間表示部１５の「Ｏｕｔ」ボタンがクリックされると、テロップ挿入の終了画像が固定され、その時間が表示される。
【００１５】
そこで、該テロップテキスト入力部１ａからテロップテキスト、例えば“test１：○○地方の天気は晴れ”を入力すると、テロップテキスト表示部１３に該テロップテキストが図３に示されているように表示される。なお、１３ａは破棄ボタン、１３ｂはＯＫボタンであり、破棄ボタン１３ａがクリックされると入力されたテロップテキストは破棄され、逆にＯＫボタン１３ｂがクリックされると入力されたテロップテキストは確定する。
【００１６】
この時、テロップ編集効果設定部１ｂを選択すると、該テロップテキストに編集効果を付与することができる。図３に示されている「Ｒ」ボタンは色の反転、「Ｕ」ボタンはアンダーライン、「□」ボタンは文字色と背景色、「Telop」ボタンはテロップテキスト（文字）入力、「Wait」ボタンは遅延効果、「Blink」ボタンは点滅効果、「Wipe」ボタンは変色を示すワイプ効果、および「Link」ボタンはリンクを貼り付ける効果を、入力されたテロップテキストに付与する働きをする。例えばマウスを操作してカーソルでテロップテキストの範囲を指定し、次いで前記ボタンをクリックすると、該指定された範囲のテロップテキストに該ボタンの機能が付加される。
【００１７】
例えば、範囲を指定して「Wait」ボタンが押されると、図５に示されているように、該「Wait」を入れた箇所に赤い印が付く。該赤い印を付けられた箇所のテロップテキストは遅延効果をかけられる。また、範囲を指定して「Blink」ボタンが押されると、図６に示されているように、点滅させる箇所に破線２２が表示される。また、範囲を指定して「Wipe」ボタンが押されると、図７に示されているように、変色する範囲２３は実際に変色する色で表示される。さらに、範囲を指定して「Link」ボタンが押されると、リンクを貼り付けた箇所２４は、下線で表示される。
【００１８】
前記のようにしてテロップテキスト表示部１３に表示されたテロップテキスト、該テロップテキストに付与された編集効果、開始画像・時間表示部１４に表示された開始画像・時間、および終了画像・時間表示部１５に表示された終了画像・時間を含むテロップ情報は、ＯＫボタン１３ｂがクリックされるとテロップ情報記憶部２に記憶される。
【００１９】
該テロップ情報はテロップ情報記憶部２に複数個記憶することができる。図４は、テロップ情報記憶部２に記憶されたテロップ情報の概念図を示し、テロップ情報記憶部２には、そのメモリ容量に納まる範囲のテロップ情報を記憶することができる。テロップ情報記憶部２に記憶されたテロップ情報は、テロップテキスト編集効果表示部５に表示することができる。図３の例では、１〜４番目の４個のテロップ情報が表示されているが、スクロールすることにより、５番目以降のテロップ情報を表示することができる。
【００２０】
以上のように、本実施形態によれば、ユーザは映像にテロップ情報を付与した後、これを確認したい場合には、従来のようにテロップを付与した映像を最初から再生したり、あるいは時間指定をしてその時間から映像を再生したりして、テロップを確認することなく、単にテロップテキスト編集効果表示部５に表示されているテロップテキストを一見すれば、映像のどの場面にどのような内容のテロップテキストを付与したかが確認できる。テロップテキスト編集効果表示部５に確認したいテロップテキストが表示されていない場合には、テロップテキスト編集効果表示部５をスクロールすればこれを一見で確認することができるようになる。
【００２１】
【発明の効果】
以上の説明から明らかなように、請求項１，２，の発明によれば、テロップテキストに付与された効果を、一見して確認することができるようになる。さらに、請求項３の発明によれば、多数のテロップテキスト、またはそれらに付与された編集効果を、一見して確認できるようになる。
【図面の簡単な説明】
【図１】  本発明の一実施形態のハード構成を示すブロック図である。
【図２】  本実施形態の機能を示すブロック図である。
【図３】  本実施形態の画面表示例を示す図である。
【図４】  テロップ情報記憶部に記憶されるテロップ情報の概念図である。
【図５】  「Wait」効果の表示例を示す図である。
【図６】  「Blink」効果の表示例を示す図である。
【図７】  「Wipe」効果の表示例を示す図である。
【図８】  「Link」機能の表示例を示す図である。
【符号の説明】
１・・・テロップ入力部、１ａ・・・テロップテキスト入力部、１ｂ・・・編集効果設定部、２・・・記憶部、２ａ・・・テロップテキスト記憶部、２ｂ・・・テロップテキスト編集効果記憶部、３・・・ＣＰＵ、４・・・編集効果解析部、５・・・テロップテキスト編集効果表示部、１０・・・テロップテキスト編集効果表示装置、１２・・・画像表示部、１３・・・テロップテキスト表示部、１４・・・開始画像・時間表示部、１５・・・終了画像・時間表示部
【図１】
0004001265.tif 000002
【図２】
0004001265.tif 000003
【図３】
0004001265.tif 000004
【図４】
0004001265.tif 000005
【図５】
0004001265.tif 000006
【図６】
0004001265.tif 000007
【図７】
0004001265.tif 000008
【図８】
0004001265.tif 000009